【手続補正書】
【提出日】平成18年6月6日(2006.6.6)
【手続補正１】
【補正対象書類名】明細書
【補正対象項目名】発明の名称
【補正方法】変更
【補正の内容】
【発明の名称】録画予約情報送信装置及び受信装置、録画予約情報共有システム、並びに録画予約情報送信方法及び受信方法
【手続補正２】
【補正対象書類名】明細書
【補正対象項目名】特許請求の範囲
【補正方法】変更
【補正の内容】
【特許請求の範囲】
【請求項１】  通信回線への接続機能を有し、外部装置と情報の送受信を行う通信手段と、
番組の録画予約情報を保持する予約情報保持手段と、
前記外部装置に対し、前記予約情報保持手段に保持されている録画予約情報を送信する制御手段とを備える
ことを特徴とする録画予約情報送信装置。
【請求項２】  請求項１記載の録画予約情報送信装置において、
録画された番組のデータを保持する録画データ保持手段と、
録画されたデータに関する情報を保持する録画情報保持手段と、
利用者による入力操作が可能な操作手段とを備え、
前記外部装置に保持されている録画情報を受信し、前記録画情報保持手段に保持された録画情報と比較して重複する録画データがある場合、利用者からの前記操作手段を介した入力操作情報を外部装置に送信し、前記外部装置に保持されている録画データの操作を行う
ことを特徴とする録画予約情報送信装置。
【請求項３】  通信回線への接続機能を有し、外部装置と情報の送受信を行う通信手段と、
番組の録画予約情報を保持する予約情報保持手段と、
前記外部装置から録画予約情報を受信して、前記予約情報保持手段に保持し、当該録画予約情報に基づき録画を行うようにした制御手段とを備える
ことを特徴とする録画予約情報受信装置。
【請求項４】  請求項３記載の録画予約情報受信装置において、
録画された番組のデータを保持する録画データ保持手段と、
録画されたデータに関する情報を保持する録画情報保持手段とを備え、
前記外部装置からの要求に応じて前記録画情報保持手段に保持された録画情報を前記外部装置に送信し、また、前記外部装置からの操作指示に従って前記録画データ保持手段に保持されている録画データの操作を行う
ことを特徴とする録画予約情報受信装置。
【請求項５】  通信回線への接続機能を有し、録画予約情報受信装置と情報の送受信を行う通信手段と、番組の録画予約情報を保持する予約情報保持手段と、前記録画予約情報受信装置に対し、前記予約情報保持手段に保持されている録画予約情報を送信する制御手段とを備える録画予約情報送信装置と、
前記通信回線への接続機能を有し、前記録画予約情報送信装置と情報の送受信を行う通信手段と、番組の録画予約情報を保持する予約情報保持手段と、前記録画予約情報送信装置から録画予約情報を受信して、前記予約情報保持手段に保持し、当該録画予約情報に基づき、番組を録画する制御手段とを備える録画予約情報受信装置とから構成される
ことを特徴とする録画予約情報共有システム。
【請求項６】  請求項５記載の録画予約情報共有システムにおいて、
前記録画予約情報送信装置は、録画された番組のデータを保持する録画データ保持手段と、録画されたデータに関する情報を保持する録画情報保持手段と、利用者による入力操作が可能な操作手段とを備え、
前記録画予約情報受信装置は、録画された番組のデータを保持する録画データ保持手段と、録画されたデータに関する情報を保持する録画情報保持手段と、利用者による入力操作が可能な操作手段とを備え、
前記録画予約情報送信装置と前記録画予約情報受信装置と間において、前記通信回線経由でそれぞれの録画情報を交換し、各装置にて録画情報保持手段に保持された録画情報と取得した録画情報とを比較して、重複する録画データがある場合、一方の装置の前記操作手段を介した入力操作情報を他方の装置に送信し、一方の装置に保持されている録画データを操作すると同時に、他方の装置に保持されている録画データの操作を行う
ことを特徴とする録画予約情報共有システム。
【請求項７】 選択された外部装置との通信を確立するステップと、
予約情報保持手段に保持されている番組の録画予約情報の中から、前記外部装置へ送信される録画予約情報を受け付けるステップと、
選択された録画予約情報を前記外部装置へ送信するステップと
を有することを特徴とする録画予約情報送信方法。
【請求項８】 外部装置との通信を確立するステップと、
前記外部装置から番組の録画予約情報を受信するステップと、
受信した録画予約情報に基づいて番組の録画を行うステップと
を有することを特徴とする録画予約情報受信方法。
【手続補正３】
【補正対象書類名】明細書
【補正対象項目名】０００１
【補正方法】変更
【補正の内容】
【０００１】
【発明の属する技術分野】
本発明は、例えば、テレビジョン放送（以下、テレビとも称する。）番組等の録画予約情報を共有、交換することにより、テレビ放送番組等の録画を自分が所有する記録装置だけでなく、相手側の記録装置上にも行う録画予約情報送信装置及び受信装置、録画予約情報共有システム、並びに録画予約情報送信方法及び受信方法に関する。
【手続補正４】
【補正対象書類名】明細書
【補正対象項目名】０００６
【補正方法】変更
【補正の内容】
【０００６】
斯かる点に鑑み、本発明は、例えば、テレビ番組の録画を自分が所有する記録装置だけでなく、相手側の記録装置上にも行い、相互に同じ録画データを保持し、また、それぞれの記録装置に記録された録画データの共有視聴操作を実現する録画予約情報送信装置及び受信装置、録画予約情報共有システム、並びに録画予約情報送信方法及び受信方法を提供することを目的とする。
【手続補正５】
【補正対象書類名】明細書
【補正対象項目名】０００７
【補正方法】変更
【補正の内容】
【０００７】
【課題を解決するための手段】
本発明の録画予約情報共有システムは、通信回線への接続機能を有し、録画予約情報受信装置と情報の送受信を行う通信手段と、番組の録画予約情報を保持する予約情報保持手段と、この録画予約情報受信装置に対し、この予約情報保持手段に保持されている録画予約情報を送信する制御手段とを備える録画予約情報送信装置と、この通信回線への接続機能を有し、この録画予約情報送信装置と情報の送受信を行う通信手段と、番組の録画予約情報を保持する予約情報保持手段と、この録画予約情報送信装置から録画予約情報を受信して、この予約情報保持手段に保持し、当該録画予約情報に基づき、番組を録画する制御手段とを備える録画予約情報受信装置とから構成するようにしたものである。
【手続補正６】
【補正対象書類名】明細書
【補正対象項目名】０００９
【補正方法】変更
【補正の内容】
【０００９】
また、上記画予約情報送信装置は、録画された番組のデータを保持する録画データ保持手段と、録画されたデータに関する情報を保持する録画情報保持手段と、利用者による入力操作が可能な操作手段とを備え、上記録画予約情報受信装置は、録画された番組のデータを保持する録画データ保持手段と、録画されたデータに関する情報を保持する録画情報保持手段と、利用者による入力操作が可能な操作手段とを備え、この録画予約情報送信装置とこの録画予約情報受信装置と間において、この通信回線経由でそれぞれの録画情報を交換し、各装置にて録画情報保持手段に保持された録画情報と取得した録画情報とを比較して、重複する録画データがある場合、一方の装置のこの操作手段を介した入力操作情報を他方の装置に送信し、一方の装置に保持されている録画データを操作すると同時に、他方の装置に保持されている録画データの操作を行うようにしたものである
【手続補正７】
【補正対象書類名】明細書
【補正対象項目名】００１１
【補正方法】変更
【補正の内容】
【００１１】
【発明の実施の形態】
以下、図１〜図７を参照して、本発明の録画予約情報送信装置及び受信装置、録画予約情報共有システム、並びに録画予約情報送信方法及び受信方法について、一実施の形態の例を説明する。